(57)【要約】【課題】  シンク下方のキャビネット空間内に装置本体が設置されるビルトイン型の水処理装置を、キャビネット空間内に引出し体が設置されていても装置本体のカートリッジ交換等が容易に行え、且つ汎用的に設置可能なものとして提供する。【解決手段】  流し台２に設置される水処理装置１である。供給される水道原水を水処理したうえで吐出させる装置本体５を、流し台２のシンク３下方のキャビネット空間Ｓ内において前後方向にスライド自在な引出し体４の後方となる箇所に配置するに際して、キャビネット空間Ｓ内壁に専用のスライドレール１０を固定しておき、上記装置本体５をスライドレール１０に沿って前後方向にスライド自在とする。【選択図】図１
2007291651.tif 000002
【特許請求の範囲】
【請求項１】
流し台に設置される水処理装置であって、流し台のシンク下方のキャビネット空間内において前後方向にスライド自在な引出し体の後方に位置するとともに供給される水道原水を水処理したうえで吐出させる装置本体と、キャビネット空間内壁に固定されるとともに上記装置本体を引出し体とは独立して前後方向にスライド自在に支持するスライドレールとを具備することを特徴とする水処理装置。
【請求項２】
上記スライドレールが、キャビネット空間の側壁に固定されるものであることを特徴とする請求項１に記載の水処理装置。
【請求項３】
上記スライドレールが、キャビネット空間の天井面に固定されて装置本体を前後方向にスライド自在に吊設するものであることを特徴とする請求項１に記載の水処理装置。
【請求項４】
装置本体を載置させるとともにキャビネット空間内の配管上方を覆うスライド台を具備し、且つ上記スライドレールが、キャビネット空間の床面に固定されるとともにスライド台を介して装置本体を前後方向にスライド自在に支持するものであることを特徴とする請求項１に記載の水処理装置。
【請求項５】
装置本体から前方に向けて延設される把手部を具備することを特徴とする請求項１〜４のいずれか一項に記載の水処理装置。
【請求項６】
上記把手部が、延設方向を逆方向に切換え自在として装置本体に取付けられるものであることを特徴とする請求項５に記載の水処理装置。
【請求項７】
上記把手部が、上下位置を切換え自在として装置本体に取付けられるものであることを特徴とする請求項５又は６に記載の水処理装置。
【請求項８】
上記スライドレールが、後側部分を斜め下方に向けて傾斜させたものであることを特徴とする請求項１〜７のいずれか一項に記載の水処理装置。
【請求項９】
上記スライドレールが、前側部分を斜め下方に向けて傾斜させたものであることを特徴とする請求項１〜８のいずれか一項に記載の水処理装置。
【請求項１０】
請求項１〜９のいずれか一項に記載の水処理装置の装置本体及びスライドレールと、該装置本体の前方にて前後方向にスライド自在に設置される引出し体とを、シンク下方のキャビネット空間内に具備することを特徴とする流し台。
【発明の詳細な説明】
【技術分野】
【０００１】
本発明は、流し台のシンク下方のキャビネット空間内に水処理装置の装置本体を設置する技術に関するものである。
【背景技術】
【０００２】
従来から、流し台のシンク下方のキャビネット空間内に装置本体を設置してある、所謂ビルトイン型の水処理装置が知られている。この水処理装置は、供給される水道原水に装置本体にてろ過や電解処理等の適宜水処理を施したうえで、流し台上面に設置してある水栓へと送り出し、この水栓からシンク内に向けて処理済みの水を吐出させるものである。
【０００３】
上記水処理装置においては、カートリッジ交換等の装置本体の定期的なメンテナンスが必要となるのだが、近年はシンク下方のキャビネット空間内に前後方向にスライド自在な引出し体を設置することが主流となっていることから、この装置本体のメンテナンス作業が非常に困難であるといった問題がある。
【０００４】
これは、図１３に示すように、流し台２のシンク３下方のキャビネット空間Ｓ内に引出し体４が設置してある場合、水処理装置１の装置本体５は該引出し体４と干渉することがないようにキャビネット空間Ｓ内の後端部に固定しておく必要があるので、メンテナンスを行う際には装置本体５の前方に位置する引出し体４が邪魔になってしまうからである。このため、従来はメンテナンス時には引出し体４を流し台２から一旦取り外しておき、そのうえでキャビネット空間Ｓ内に上半身を潜り込ませてカートリッジ交換等を行う必要があり、使用者には非常に面倒な作業が要求されていたのである。
【０００５】
上記問題に対して特許文献１には、装置本体を引出し体内に設置しておくといった方法が提案されている。この方法を用いた場合には、引出し体を前方にスライドさせれば装置本体のカートリッジ交換等が容易に行えるようになって上記問題は解決されるのだが、その代わりに引出し体内の有効な収納スペースが制限されてしまうといった問題が生じる。また、流し台から引出し体を取り外すような場合には、装置本体に接続されるパイプや電源コードが引っ張られて痛める危険性があるといった問題や、この危険性を避けるために上記パイプ等を十分長尺に設けておいた場合には通常収納時にこの長尺のパイプ等が邪魔になるといった問題が生じる。
【０００６】
また装置本体を引出し体内に設置しておくのではなく、幕板裏の引出し体とは干渉しないスペースに装置本体を設置しておくことでカートリッジ交換等を容易にするといった方法も考えられるのだが、このような十分なスペースが幕板裏に確保できる流し台は種類が限定されるので、多様な種類の流し台に対応して汎用的に装置本体を設置することは困難であるといった問題が生じる。
【特許文献１】特開２００５−２３２８７３号公報
【発明の開示】
【発明が解決しようとする課題】
【０００７】
本発明は上記問題点に鑑みて発明したものであって、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つこの装置本体を流し台の種類に関係なく汎用的に設置可能なものとして提供することを課題とするものである。
【課題を解決するための手段】
【０００８】
上記課題を解決するために本発明に係る水処理装置１を、流し台２に設置される水処理装置１であって、流し台２のシンク３下方のキャビネット空間Ｓ内において前後方向にスライド自在な引出し体４の後方に位置するとともに供給される水道原水を水処理したうえで吐出させる装置本体５と、キャビネット空間Ｓ内壁に固定されるとともに上記装置本体５を引出し体４とは独立して前後方向にスライド自在に支持するスライドレール１０とを具備したものとする。
【０００９】
上記構成の水処理装置１とすることで、通常の使用時には、引出し体４を備えてあるキャビネット空間Ｓ内において該引出し体４と干渉することがない後方箇所に装置本体５を位置させておき、カートリッジ交換等のメンテナンス時には、引出し体４を前方に引出したうえで装置本体５を引っ張れば該装置本体５をスライドレール１０に沿って前方に移動させることができる。つまり、キャビネット空間Ｓ内に引出し体４が設置されていても装置本体５のカートリッジ交換等が容易に行えるとともに、装置本体５は引出し体４の後方にあるので該引出し体４内の収納スペースは確保される。加えて上記水処理装置１は、スライドレール１０をキャビネット空間Ｓ内壁に固定させるだけで支持することができるので、流し台２の種類に関係なく汎用的に設置可能なものである。
【００１０】
更に、上記構成の水処理装置１にあっては、上記スライドレール１０がキャビネット空間Ｓの側壁１８に固定されるものであることが好適である。このようにすることでスライドレール１０の上下方向における固定箇所の選択幅が広がり、流し台２の種類に応じて装置本体５をキャビネット空間Ｓ内における最適な上下位置に設置することが容易となる。
【００１１】
また上記構成の水処理装置１にあっては、上記スライドレール１０が、キャビネット空間Ｓの天井面２０に固定されて装置本体５を前後方向にスライド自在に吊設するものであることも好適である。このようにすることでスライドレール１０の左右方向における固定箇所の選択幅が広がり、流し台２の種類に応じて装置本体５をキャビネット空間Ｓ内における最適な左右位置に設置することが容易となる。
【００１２】
また上記構成の水処理装置１にあっては、装置本体５を載置させるとともにキャビネット空間Ｓ内の配管上方を覆うスライド台３１を具備し、且つ上記スライドレール１０が、キャビネット空間Ｓの床面３０に固定されるとともにスライド台３１を介して装置本体５を前後方向にスライド自在に支持するものであることも好適である。このようにすることで、キャビネット空間Ｓ内の配管スペースと干渉することなく装置本体５を下方から確実に支持することができる。更に、スライドレール１０の左右方向における固定箇所の選択幅が広がり、流し台２の種類に応じて装置本体５をキャビネット空間Ｓ内における最適な左右位置に設置することが容易となる。
また上記構成の水処理装置にあっては、装置本体５から前方に向けて延設される把手部１３を具備することが好適である。このようにすることで、奥行きの深いキャビネット空間Ｓを有する流し台２に水処理装置１を設置してある場合であっても、把手部１３を用いれば装置本体５を前方に引出す作業が容易となる。
【００１３】
また上記把手部１３が、延設方向を逆方向に切換え自在として装置本体５に取付けられるものであることも好適である。このようにすることで、装置本体５を前後逆向きに設置する場合であっても、把手部１３の延設方向を逆に切換えることで該把手部１３を前方に突出させておくことができる。特にスライドレール１０をキャビネット空間Ｓの側壁１８に固定するような場合、左右どちらの側壁１８に固定するかで装置本体５の前後方向の向きが逆転してしまうが、このような場合には把手部１３の延設方向を逆方向に切換えて該把手部１３を前方に突出させるのである。
【００１４】
更に上記把手部１３が、上下位置を切換え自在として装置本体５に取付けられるものであることも好適である。このようにすることで、把手部１３の上下位置を引出し体４やその収納物と干渉しないように調整することが可能になるので、流し台２に水処理装置１を設置する際の汎用性が更に向上することとなる。
【００１５】
また上記構成の水処理装置１にあっては、上記スライドレール１０が、後側部分１０ｃを斜め下方に向けて傾斜させたものであることが好適である。このようにすることで、装置本体５が通常使用状態から不用意に前方に移動することが防止されるとともに、メンテナンス後に元の位置に復帰させる場合には、或る程度押し込めば後は自重により自動的に後方の収納位置にまで移動することとなる。
【００１６】
また上記スライドレール１０が、前側部分１０ｄを斜め下方に向けて傾斜させたものであることも好適である。このようにすることで、カートリッジ交換等のメンテナンスのために装置本体５を前方に移動させる場合には、或る程度引っ張り出せば後は自重により自動的に前方に移動することとなる。
【００１７】
そして本発明に係る流し台２を、上記構成から成る水処理装置１の装置本体５及びスライドレール１０と、該装置本体５の前方にて前後方向にスライド自在に設置される引出し体４とを、シンク３下方のキャビネット空間Ｓ内に具備したものとすることで、通常の使用時には、引出し体４を備えてあるキャビネット空間Ｓ内において該引出し体４と干渉することがない後方箇所に装置本体５を位置させておき、カートリッジ交換等のメンテナンス時には、引出し体４を前方に引出したうえで装置本体５を引っ張れば該装置本体５をスライドレール１０に沿って前方に移動させることができる。つまり、キャビネット空間Ｓ内に引出し体４が設置されていても装置本体５のカートリッジ交換等が容易に行えるとともに、装置本体５は引出し体４の後方にあるので該引出し体４内の収納スペースは確保されるのである。
【００１８】
なお、以上述べた各構成は、本発明の趣旨を逸脱しない限り適宜組合せ可能である。
【発明の効果】
【００１９】
本発明は、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つこの装置本体を流し台の種類に関係なく汎用的に設置可能なものとするといった効果を奏する。
【発明を実施するための最良の形態】
【００２０】
以下、本発明を添付図面に示す実施形態に基づいて説明する。図１〜図３には、本発明の実施形態における一例の水処理装置１を備えた流し台２が示してある。この流し台２は、その上面２ａにシンク３を有するとともに、該シンク３下方にはキャビネット空間Ｓが形成されたものであり、このキャビネット空間Ｓ内には、上方の開口した箱状を成す上下二段の引出し体４が前後方向にスライド自在に設置してある。この引出し体４は、前板部分を他の側板及び後板よりも高く設けたものである。なお本文中においては、流し台２を利用する際に使用者が位置する側（図中の矢印Ａ側）を前方、流し台２が位置する側（図中の矢印Ｂ側）を後方とする。
【００２１】
水処理装置１は、水道源から供給される水道原水に各種水処理を施したうえで吐出させる装置本体５と、この装置本体５をキャビネット空間Ｓ内に設置させるための支持構造６とを備えている。本例の装置本体５は、ろ過用の浄水カートリッジ７（図３参照）及び電解槽（図示せず）を内蔵し、給水パイプ（図示せず）を通じて供給される水道原水にろ過及び電気分解を施して生成されるアルカリ水及び酸性水を、流し台２の上面２ａに立設してある水栓８から個別に吐出するものであるが、このような構成の水処理装置は周知であることから詳しい構成については説明を省略する。なお、図中の符号９はアルカリ水及び酸性水を水栓８に向けて個別に送り出すための可撓性を有する一対のパイプであり、その一方が水栓８の吐水管８ａに連通接続され、他方が該水栓８の排水管８ｂに連通接続される。
【００２２】
上記装置本体５は、キャビネット空間Ｓ内において引出し体４の後方に位置するものであり、支持構造６を介して前後方向にスライド自在に設置されている。上記支持構造６は、キャビネット空間Ｓの内壁（本例では左右方向の一方の側壁１８）に固定される一本のスライドレール１０と、装置本体５の左右方向の一側面に設置されて該スライドレール１０内を前後方向に走行する走行体１１とで主体を成している。
【００２３】
上記走行体１１は、左右軸中心に回動自在な上下一対を成すローラ１２を、前後方向に複数対（図示例では前後に一対ずつ）設けることで形成している。また図４（ａ）に断面で示してあるように流し台２側に固定させる上記スライドレール１０は、凹状を成し且つ前後方向に伸びる溝部１０ａを上下両面に形成したものであり、上面側の溝部１０ａ内に各対の上側のローラ１２を配置し且つ下面側の溝部１０ａ内に下側のローラ１２を配置した構造である。
【００２４】
キャビネット空間Ｓ内壁には引出し体４を前後スライド自在に支持するためのレール（図示せず）を固定してあるのだが、上記スライドレール１０はこの引出し体４用のレールとは別に装置本体５専用に設けたものであり、装置本体５は引出し体４とは独立して前後方向にスライド自在となっている。また装置本体５は、引出し体４用の上記レールとは接触することなく前後方向にスライドするように設けている。
【００２５】
上記装置本体５には、スライド操作時に用いる把手部１３を前方に向けて延設してある。図３に示すように上記把手部１３は、前後方向に伸びる左右一対の支持片１３ａと、両支持片１３ａの前端同士をつなぐ握り片１３ｂとで平面視コ字状に形成したものであり、両支持片１３ａの後端部を装置本体５の外側面に固定させることで、この把手部１３を装置本体５に取り付けてある。
【００２６】
上記構成から成る水処理装置１を備えた流し台２にあっては、通常使用時は図１に示すように装置本体５を最も後方に位置させておき、この位置にてろ過及び電気分解を施して得たアルカリ水と酸性水を水栓８に向けて吐出させて使用する。キャビネット空間Ｓの後端下部には配管スペースを囲むための配管カバー１４が固定してあるのだが、通常使用時の装置本体５はこの配管カバー１４上に位置するように設ける。
【００２７】
そして一定の使用量毎に要求される浄水カートリッジ７の交換作業に際しては、まず引出し体４を前方にスライドさせた後に、装置本体５から前方に延設される把手部１３の握り片１３ｂを把持し、前方への引張力を加える。このとき装置本体５側の走行体１１を成す各ローラ１２がスライドレール１０内を回動しながら該装置本体５が前方へとスライド移動し、引出し体４の後端面と当たる位置にて装置本体５の前進は停止される（図２参照）。引出し体４の後板部分は前板部分よりも十分低く設けてあるので、この前進位置にて使用者は後板上方のスペースを通じて容易に浄水カートリッジ７の交換作業を行うとともに、交換完了後には再び装置本体５及び引出し体４を後方へとスライドさせて通常使用時の位置に復帰させる。
【００２８】
なお、装置本体５に接続されるパイプ９や給水パイプが、前後スライド移動に支障を来たすことのない必要十分な長さ及び可撓性を有するものであることは勿論である。また上記パイプ９等は、左右軸中心に回動自在となるように装置本体５に連通接続させておくことが好適である。
【００２９】
図４（ｂ）には、装置本体５を支持する上記支持構造６の変形例を示している。この例にあっては、スライドレール１０はキャビネット空間Ｓの側壁１８において平行を成すように上下一対備えてあり、上側のスライドレール１０には上方に開口する凹状の溝部１０ａを設け、下側のスライドレール１０には下方に開口する凹状の溝部１０ａを設けている。そして上側のスライドレール１０の溝部１０ａ内には、装置本体５側に設けてある各対のローラ１２のうち上側のローラ１２を配置し、且つ下側のスライドレール１０の溝部１０ａ内には、装置本体５側に設けてある各対のローラ１２のうち下側のローラ１２を配置した構造となっている。
【００３０】
また図５には、上記スライドレール１０の変形例を示している。この例にあってはスライドレール１０の形状を図１等に示すような前後方向に一直線状とするのではなく、前後方向の途中部分に上方に凸な頂上部１０ｂを設けるとともに、この頂上部１０ｂを挟んでそれよりも後側の後側部分１０ｃを斜め下方に向けて傾斜させ、且つ、それよりも前側の前側部分１０ｄを斜め下方に向けて傾斜させることで、全体を側面視へ字状に形成している。この形状とすれば、装置本体５が通常使用時の位置から不用意に前方に移動することが防止されるとともに、浄水カートリッジ７を交換するために前方に移動させる場合には或る程度引っ張り出せば後は自重により自動的に前方に移動してくることとなる。また交換後に元の位置に復帰させる場合には、或る程度押し込めば後は自重により自動的に後方の所定位置にまで移動してゆく。
【００３１】
また図６には、把手部１３の変形例を示している。この例にあっては、平面視コ字状を成す把手部１３の左右一対の支持片１３ａの後端部に上下方向に長い固定片１３ｃを設け、この固定片１３ｃには上下方向に細長のスリット状を成すスライド穴１５を貫設している。装置本体５の左右両側面には取付ねじ１６を螺合させるためのねじ孔を設けており、この取付ねじ１６をスライド穴１５に挿通させた状態で締め付けていくことで、該取付ねじ１６のヘッド部分と装置本体５との間で固定片１３ｃを挟持固定し、把手部１３を固定する構造である。上記構造の把手部１３は、スライド穴１５内における取付ねじ１６の挿通位置を上下に変更して締め付けることで、図中に矢印で示すようにその上下位置が所定範囲内で変更自在となっている。
【００３２】
本例の水処理装置１を設置する流し台２としては多様な形状を有するものが想定されるが、このように把手部１３の上下位置を変更自在としたことで、設置しようとする流し台２が有する引出し体４の位置や形状に対応して、この引出し体４や収納物と干渉することがない上下位置に把手部１３を設けることが可能である。
【００３３】
また、図中に想像線で示すように、装置本体５の両側面に固定させる固定片１３ｃを左右入れ換えた場合には、装置本体５からの延設方向を逆方向に切換えることができる。ここで、スライドレール１０内を走らせる走行体１１は装置本体５の左右側面の一方にのみ備えてあるので、このスライドレール１０をキャビネット空間Ｓの左右方向の他方の側壁１８に固定させた場合には、装置本体５は図示例とは前後逆方向を向いて支持されることになる。これに対して、把手部１３の延設方向を上記の如く反転させることで、上記把手部１３を前方に突出するように設けることができる。
【００３４】
次に、本発明の実施形態における他例の水処理装置１を備えた流し台２について説明する。なお、他例の構成のうち既述した一例の構成と対応するものについては同一符号を付して詳しい説明は省略し、一例とは相違する特徴的な構成についてのみ以下に詳述する。
【００３５】
図７〜図９に示すように、他例の水処理装置１の装置本体５を前後方向にスライド自在に支持する支持構造６は、キャビネット空間Ｓに形成してある天井面２０に固定されるスライドレール１０と、装置本体５の上面に設置されて該スライドレール１０内を前後方向に走行するローラ２１から成る走行体１１とで主体を成している。
【００３６】
他例の走行体１１は、左右軸中心に回動自在な左右一対を成すローラ２１を、前後方向に複数対（図示例では前後に一対ずつ）設けたものである。また図９に断面で示してあるように他例のスライドレール１０は、凹状を成す溝部２２を左右両面に形成したものであり、左面側の溝部２２内に各対の左側のローラ２１を配置し、且つ右面側の溝部２２内に右側のローラ２１を配置した構造である。
【００３７】
次に、本発明の実施形態における更に他例の水処理装置１を備えた流し台２について説明する。なお、更に他例の構成のうち既述した一例の構成と対応するものについては同一符号を付して詳しい説明は省略し、一例とは相違する特徴的な構成についてのみ以下に詳述する。
【００３８】
図１０〜図１２に示すように、更に他例の水処理装置１の装置本体５を前後方向にスライド自在に支持する支持構造６は、キャビネット空間Ｓの床面３０に固定されるスライドレール１０と、その上面３１ａに装置本体５を載置して固定させるとともに配管カバー１４の上方を覆うよう設置されるスライド台３１と、スライド台３１の下端部に設置されてスライドレール１０内を前後方向に走行するローラ３２から成る走行体１１とで主体を成している。つまり、キャビネット空間Ｓの床面３０に設置される上記スライドレール１０は、走行体１１を有するスライド台３１を介して装置本体５を前後方向にスライド自在に支持するものであり、このスライド台３１及び装置本体５が通常使用時にキャビネット空間Ｓ内の後方に位置するとき、配管カバー１４により囲まれる配管スペースには干渉しないようになっている。
【００３９】
更に他例の走行体１１は、左右軸中心に回動自在な左右一対を成すローラ３２を、前後方向に複数対（図示例では前後に一対ずつ）設けたものである。また図１２に断面で示してあるように、更に他例のスライドレール１０は、床面３０上において平行を成すように左右一対備えてあり、両スライドレール１０には内方に開口する凹状の溝部３３をそれぞれ設けている。そして左側のスライドレール１０の溝部３３内には、スライド台３１側に設けてある各対のローラ３２のうち左側のローラ３２を配置し、且つ右側のスライドレール１０の溝部３３内には、各対のローラ３２のうち右側のローラ３２を配置した構造となっている。
【図面の簡単な説明】
【００４０】
【図１】本発明の実施形態における一例の水処理装置を備えた流し台の通常使用時を示す説明用断面図である。
【図２】同上の水処理装置を備えた流し台のカートリッジ交換時を示す説明用断面図である。
【図３】同上の水処理装置を備えた流し台の説明用斜視図であり、（ａ）は通常使用時、（ｂ）はカートリッジ交換時を示している。
【図４】（ａ）は同上の水処理装置の支持構造を示す説明図であり、（ｂ）は支持構造の変形例を示す説明図である。
【図５】同上の水処理装置のスライドレールの変形例を示す説明図である。
【図６】同上の水処理装置の把手部の変形例を示す説明図である。
【図７】本発明の実施形態における他例の水処理装置を備えた流し台の通常使用時を示す説明用断面図である。
【図８】同上の水処理装置を備えた流し台のカートリッジ交換時を示す説明用断面図である。
【図９】同上の水処理装置の支持構造を示す説明図である。
【図１０】本発明の実施形態における更に他例の水処理装置を備えた流し台の通常使用時を示す説明用断面図である。
【図１１】同上の水処理装置を備えた流し台のカートリッジ交換時を示す説明用断面図である。
【図１２】同上の水処理装置の支持構造を示す説明図である。
【図１３】従来の水処理装置を備えた流し台を示す説明図である。
【符号の説明】
【００４１】
１  水処理装置
２  流し台
３  シンク
４  引出し体
５  装置本体
１０  スライドレール
１０ｃ  後側部分
１０ｄ  前側部分
１３  把手部
２０  天井面
３０  床面
３１  スライド台
Ｓ  キャビネット空間 
【図１】
2007291651.tif 000003
【図２】
2007291651.tif 000004
【図３】
2007291651.tif 000005
【図４】
2007291651.tif 000006
【図５】
2007291651.tif 000007
【図６】
2007291651.tif 000008
【図７】
2007291651.tif 000009
【図８】
2007291651.tif 000010
【図９】
2007291651.tif 000011
【図１０】
2007291651.tif 000012
【図１１】
2007291651.tif 000013
【図１２】
2007291651.tif 000014
【図１３】
2007291651.tif 000015